(57)【特許請求の範囲】
【請求項１】
ブロックの側面に沿って固定するための当接部と、
前記当接部から直角方向に連設され、前記ブロックと隣接する道路との隙間が地中と直接に繋がらないように塞ぐ垂立部と、
雑草の根が地中に到達しないように前記垂立部の端から上方に突出させると共に、前記道路の裏面にくい込ませることにより前記ブロックとのズレを防止する突起部と、を有する、
ことを特徴とするブロック用防草部材。
【請求項２】
前記突起部は、上面を斜め下方向に削り取って三角形状に尖らせた、
ことを特徴とする請求項１に記載のブロック用防草部材。
【請求項３】
前記当接部、前記垂立部、及び突起部は、金属を加工して成形された、
ことを特徴とする請求項１又は２に記載のブロック用防草部材。
【請求項４】
前記ブロックと前記当接部とがネジ止めされる、
ことを特徴とする請求項１乃至３の何れか一に記載のブロック用防草部材。
【請求項５】
前記ブロックに前記当接部を嵌め込むための溝を形成する、
ことを特徴とする請求項１乃至４の何れか一に記載のブロック用防草部材。
【発明の詳細な説明】
【技術分野】
【０００１】
本発明は、側溝などのブロックに取り付けるブロック用防草部材に関する。
【背景技術】
【０００２】
アスファルトで舗装された道路の端には、排水用の側溝ブロックが設置されることがある。また、車道と歩道との境に境界ブロックが設置されることもある。さらに、それらを組み合わせて設置されることもある。これらの側溝ブロックや境界ブロックは、コンクリート製であり、地中に埋め込んだ状態で設置する場合や、地上に突出させた状態で設置する場合などがある。
【０００３】
側溝ブロックや境界ブロック等を設置する際に、アスファルトとの間に隙間が存在していると、そこから雑草が生えてくることがある。雑草が繁っていると、景観を損ねることに加え、側溝ブロックが存在していることが分からずに、車輪や足を踏み外して落下するおそれもある。特許文献１に記載されているように、雑草の成長を防止することができる側溝ブロックの発明も公開されている。
【先行技術文献】
【特許文献】
【０００４】
【特許文献１】特許第５２８５１８２号公報
【発明の概要】
【発明が解決しようとする課題】
【０００５】
しかしながら、特許文献１に記載の発明は、側溝ブロックの側壁上端部に切欠部を空けて、そこに台形状の突条を設けるものであり、既に側溝ブロックが設置されている場所においては、既存の側溝ブロックを取り除いて、新たに側溝ブロックを設置し直す必要があり、作業面及び費用面で大きな負担となる。また、コンクリートブロックに小さな突条を設けるのは困難であり、設けても強度的に弱い可能性がある。
【０００６】
そこで、本発明は、新設又は既存の側溝ブロックや境界ブロックに後付けすることで、雑草の成長を抑制するブロック用防草部材を提供することを目的とする。
【課題を解決するための手段】
【０００７】
上記の課題を解決するために、本発明であるブロック用防草部材は、ブロックの側面に沿って固定するための当接部と、前記当接部から直角方向に連設され、前記ブロックと隣接する道路との隙間が地中と直接に繋がらないように塞ぐ垂立部と、雑草の根が地中に到達しないように前記垂立部の端から上方に突出させると共に、前記道路の裏面にくい込ませることにより前記ブロックとのズレを防止する突起部と、を有する、ことを特徴とする。
【０００８】
また、本発明において、前記突起部は、上面を斜め下方向に削り取って三角形状に尖らせた、ことを特徴とする。
【０００９】
また、本発明において、前記当接部、前記垂立部、及び突起部は、金属を加工して成形された、ことを特徴とする。
【００１０】
また、本発明は、前記ブロックと前記当接部とがネジ止めされる、ことを特徴とする。
【００１１】
また、本発明は、前記ブロックに前記当接部を嵌め込むための溝を形成する、ことを特徴とする。
【発明の効果】
【００１２】
本発明によれば、新設又は既存の側溝ブロックや境界ブロック等のコンクリートブロックに後付けすることで、道路のアスファルトとコンクリートブロックとの間のズレを防ぎ、その結果、隙間が無くなるので、そこから伸びてくる雑草の成長を抑制することができる。既設のコンクリートブロックにも容易に取り付けることができるので、作業面及び費用面で大きく節約することができる。
【図面の簡単な説明】
【００１３】
【図１】本発明であるブロック用防草部材を取り付けた側溝ブロックの斜視断面図である。
【図２】本発明であるブロック用防草部材を取り付けた側溝ブロックの正面断面図である。
【図３】本発明であるブロック用防草部材を取り付けた側溝ブロックの側面図である。
【図４】本発明であるブロック用防草部材の斜視図である。
【図５】本発明であるブロック用防草部材を取り付けるために加工した側溝ブロックの斜視断面図である。
【図６】本発明であるブロック用防草部材を取り付けた境界ブロックの正面断面図である。
【図７】本発明であるブロック用防草部材を取り付けた縁石ブロックの正面断面図である。
【図８】本発明であるブロック用防草部材の正面図であり、（ａ）は直角クランク形状のものであり、（ｂ）はＵ字形状のものである。
【発明を実施するための形態】
【００１４】
以下に、本発明の実施形態について図面を参照して詳細に説明する。なお、同一機能を有するものは同一符号を付け、その繰り返しの説明は省略する場合がある。
【実施例１】
【００１５】
まず、道路１００の端などに設置されるコンクリートブロックに対して、本発明であるブロック用防草部材を取り付けることについて説明する。図１は、防草部材４００を取り付けた側溝ブロック３００の斜視断面図であり、図２は、その正面断面図であり、図３は、その側面図である。
【００１６】
道路１００は、人や車両が交通するために整備された通路である。道路１００の表面は、地面５００の上を通行しやすいように、アスファルト２００等を用いた舗装材で覆われている。道路１００の端などには、排水用の側溝ブロック３００などのコンクリートブロックが設置される。なお、コンクリートは、砂、砂利、水などをセメントで凝固させた石である。
【００１７】
側溝ブロック３００は、主に上面の空いたコンクリートブロックであり、不用な水を流すために設置される。側溝ブロック３００の底面は、湾曲したＵ字状でも良いし、平らな凹状になっていても良い。側溝ブロック３００の上面は、通常は蓋板３１０を嵌め込んで塞ぐが、空いたままの場合もある。なお、蓋板３１０が取り外し可能となるように、側溝ブロック３００の上部内側に引っ掛けるための段差を設けておいても良い。
【００１８】
蓋板３１０を取り外す際は、蓋板３１０の端などに空けた孔３１１に指や引上げ用の道具などを差し込んで、それを蓋板３１０の裏側に掛けた状態で持ち上げる。蓋板３１０は、主に側溝ブロック３００と同じコンクリートブロックを用いるが、排水しやすいように金属を格子状に組んで軽量化したグレーチング３２０を用いても良い。蓋板３１０又はグレーチング３２０の上面とアスファルト２００の上面の高さを合わせると、歩行又は走行の邪魔とならない。
【００１９】
側溝ブロック３００は、地面５００に側溝ブロック３００の高さと同じ深さで掘られた溝に埋められる。側溝ブロック３００によって、地中５１０に水などの液体が流れる空間が作られる。なお、側溝ブロック３００の代わりに、上面が空いていない暗渠ブロックを用いても良い。側溝ブロック３００は、道路１００の端に設置されることが多いので、その場合、側溝ブロック３００とアスファルト２００とが隣接する。
【００２０】
地面５００においては、雑草５２０が生えたりするが、側溝ブロック３００とアスファルト２００との間にズレなどが生じていて、隙間５３０が存在していると、地中から伸びた雑草５２０が、側溝ブロック３００とアスファルト２００の間から出てくる場合がある。雑草５２０が生えていると見た目に悪いし、雑草５２０により側溝ブロック３００が隠れて見えなくなる可能性がある。
【００２１】
そのため、図１に示すように、防草部材４００を側溝ブロック３００に取り付ける。防草部材４００は、道路１００を舗装しているアスファルト２００等と、側溝ブロック３００等のコンクリートブロックとのズレを防止して隙間５３０を無くすための部材である。隙間５３０を塞いで、そこから雑草５２０が伸びてくることを防止する。すなわち、防草部材４００を介すことによって、隙間５３０となる箇所が地中５１０と直接に繋がらないようにする。
【００２２】
図２に示すように、防草部材４００自体は、側溝ブロック３００に留具６００などで固定するが、一部をアスファルト２００に引っ掛けることにより、側溝ブロック３００とアスファルト２００とを繋ぐ。例えば、防草部材４００の一部を突起４１０のようにしてアスファルト２００の裏面にくい込ませることにより、側溝ブロック３００側に寄せた状態を維持する。
【００２３】
例えば、地中５１０に雑草５２０の種などが存在していたとしても、防草部材４００の突起４１０を超えて側溝ブロック３００とアスファルト２００の隙間５３０に到達することはないので、雑草５２０は地上に出て来ない。また、仮に隙間５３０に雑草５２０の種が入り込んだとしても、雑草５２０の根が地中５１０に到達することはないので、雑草５２０は枯れてしまう。
【００２４】
既製未設置の側溝ブロック３００に防草部材４００を取り付けた場合は、防草部材４００の付いた側溝ブロック３００を道路１００の所定の位置に配設してから、道路１００をアスファルト２００で舗装すれば良い。既設の側溝ブロック３００に防草部材４００を取り付ける場合は、アスファルト２００を一部除去してから、防草部材４００を側溝ブロック３００に取り付け、除去した箇所をアスファルト２００で舗装し直せば良い。
【００２５】
防草部材４００は、側溝ブロック３００の接触面３３０又は加工面３４０に固定する。なお、側溝ブロック３００の左右の両側面のうち、アスファルト２００と隣接する側のみで良い。接触面３３０は、側溝ブロック３００の側面上部であるが、上端から所定の深さまではアスファルト２００と接するので、アスファルト２００の深さよりも浅い位置から、防草部材４００の固定に必要な所定の深さまでの範囲で設ける。
【００２６】
側溝ブロック３００の接触面３３０となる箇所の形状に合わせて、防草部材４００の形状を成形しても良い。また、防草部材４００の形状に合わせて、側溝ブロック３００の接触面３３０となる箇所を削る等して加工面３４０を形成しても良い。留具６００は、防草部材４００を側溝ブロック３００に固定できれば良いので、防草部材４００を貫通させて、側溝ブロック３００にネジ留め等すれば良い。
【００２７】
図３に示すように、防草部材４００は、側溝ブロック３００の一つ分の長さに合わせたものを一つ、両端を含め数ヶ所において、ネジ等の留具６００で螺合する。または、側溝ブロック３００の半分の長さの防草部材４００を二つ並べて、任意の数の留具６００で螺合しても良い。同様に、所定の長さの防草部材４００を複数並べて、任意の箇所で螺合しても良い。また、複数の防草部材４００を繋げずに、間欠的に配置して固定しても良い。
【００２８】
次に、本発明であるブロック用防草部材の構造について説明する。図４は、防草部材４００の斜視図であり、図５は、防草部材４００を取り付けるために加工した側溝ブロック３００の斜視断面図である。防草部材４００は、側溝ブロック３００の形状に依る場合もあるが、側溝ブロック３００とアスファルト２００とを繋ぎ止める機能があれば、定型的な形状にする必要はない。
【００２９】
図４に示すように、防草部材４００の構造の一例としては、突起４１０と、当接部４２０と、垂立部４３０と、複数の貫通孔４４０と、を有するものである。防草部材４００は、側溝ブロック３００に後付けするものであり、側溝ブロック３００と同じコンクリートで成形しても良いし、金属や樹脂など加工しやすい材料を用いて成形しても良い。なお、樹脂の場合は、腐食せず、かつ硬い材質とすることが好ましい。
【００３０】
当接部４２０は、側溝ブロック３００の接触面３３０に当てる部分である。当接部４２０には、側溝ブロック３００まで留具６００を通すために、例えば、左端寄りに一つの貫通孔４４０を空け、右端寄りに一つの貫通孔４４０を空ける。当接部４２０の接触面３３０に当てる側は、平坦でも良いし、接触面３３０に合わせて加工しても良い。当接部４２０と、接触面３３０又は加工面３４０とは、隙間が出来ないように凹凸等が合う形状にしておく。
【００３１】
側溝ブロック３００を加工する場合は、図５に示すように、側溝ブロック３００の側面を切削して接触面３３０を形成する。例えば、当接部４２０が平坦な面のとき、側溝ブロック３００の側面に凹凸が多い場合には、平坦となるように切削して接触面３３０を形成する。さらに、接触面３３０に留具６００を螺合等するためのネジ穴３５０を、当接部４２０に空けた貫通孔４４０と位置を合わせて空けておく。
【００３２】
図４に示すように、垂立部４３０は、当接部４２０から外側、すなわち側溝ブロック３００と離れる方向へ、直角に曲がって連設される部分である。垂立部４３０は、突起４１０を側溝ブロック３００の側面から所定の長さだけ離すために介している。なお、垂立部４３０は、当接部４２０の上端以外の箇所から連設させても良い。当接部４２０に対して垂直なので、当接部４２０が側溝ブロック３００に沿って縦向きの場合、垂立部４３０は横向きとなる。
【００３３】
突起４１０は、側溝ブロック３００とアスファルト２００とが、車の走行その他の振動などを受けても離れないように、アスファルト２００に対して食い込ませる部分である。突起４１０は、アスファルト２００の下側に存在する場合には、上方に向かって突出して、アスファルト２００の下面に食い込む。また、突起４１０の上面を斜め下方向に削り取る等して、先端を三角形状に尖らせることにより、食い込み易くしても良い。
【００３４】
このように、防草部材４００を新設又は既存の側溝ブロック３００等のコンクリートブロックに後付けすることで、道路１００のアスファルト２００とコンクリートブロックとの間のズレを防ぎ、さらに隙間５３０を無くすことで、そこから伸びてくる雑草５２０の成長を抑制することができる。既設のコンクリートブロックにも容易に取り付けることができるので、作業面及び費用面で大きく節約することができる。
【実施例２】
【００３５】
次に、道路１００の車道と歩道の間などに設置されるコンクリートブロックに対して、本発明であるブロック用防草部材を取り付けることについて説明する。図６は、防草部材４００を取り付けた境界ブロック３０１の正面断面図であり、図７は、防草部材４００を取り付けた縁石ブロック３０２の正面断面図である。
【００３６】
道路１００において、車道と歩道の間や、上り車線と下り車線の間などの境界には、車線を乗り越えないように、境界ブロック３０１などのコンクリートブロックが設置される。なお、境界ブロック３０１に隣接する道路１００の表面には、アスファルト２００等が舗装されるものとする。境界ブロック３０１とアスファルト２００との間に防草部材４００を取り付ける。
【００３７】
図６に示すように、境界ブロック３０１は、主に上方に突出した部分を有するコンクリートブロックである。境界ブロック３０１の上部である突出した部分は、略台形状でも良いし、その他の形状でも構わない。境界ブロック３０１の下部が、地中５１０に埋設され、その側面の両側又はいずれか片側がアスファルト２００と隣接する接触面３３１となる。なお、防草部材４００の形状に合わせて、接触面３３１を切削して加工面３４１にしても良い。
【００３８】
境界ブロック３０１の接触面３３１又は加工面３４１に防草部材４００を留具６００で固定し、境界ブロック３０１の下部と隣接する位置までアスファルト２００で舗装する。防草部材４００の突起４１０がアスファルト２００に掛かっているので、境界ブロック３０１とアスファルト２００とが、振動等によっても隙間５３０が生じにくい状態となる。また、防草部材４００により雑草５２０の成長が阻害される。
【００３９】
また、図７に示すように、縁石ブロック３０２についても同様である。縁石ブロック３０２は、道路１００の端である路肩に設置されるコンクリートブロックである。縁石ブロック３０２は、アスファルト２００の端部の破損を防ぎ、アスファルト２００による舗装を維持するために設置する。その縁石ブロック３０２とアスファルト２００との間に防草部材４００を取り付ける。
【００４０】
縁石ブロック３０２の下部が地中５１０に埋設されるので、上部の側面が隣接面３３２となり、防草部材４００の形状に合わせて、接触面３３２を切削して加工面３４２にしても良い。接触面３３２又は加工面３４２に防草部材４００を留具６００で取り付け、縁石ブロック３０２と隣接する位置までアスファルト２００で舗装する。その際、防草部材４００の突起４１０が、アスファルト２００に係止される。
【００４１】
このように、境界ブロック３０１や縁石ブロック３０２等のコンクリートブロックの場合においても、道路１００のアスファルト２００とコンクリートブロックとの間のズレを防ぎ、さらに隙間５３０を無くすことで、そこから伸びてくる雑草５２０の成長を抑制することができる。既設のコンクリートブロックにも容易に取り付けることができるので、作業面及び費用面で大きく節約することができる。
【実施例３】
【００４２】
次に、本発明であるブロック用防草部材の形状について説明する。図８（ａ）は、直角クランク形状の防草部材４０１の正面図であり、図８（ｂ）はＵ字形状の防草部材４０２の正面図である。
【００４３】
図８（ａ）に示すように、防草部材４０１は、当接部４２１と、当接部４２１の上端から直角方向に連設された垂立部４３１と、さらに垂立部４３１の当接部４２１とは反対側の端から上方に長く伸びるように連設された突起４１１と、を有する形状にしても良い。防草部材４０１の突起４１１は、先端を尖らせていないが、アスファルト２００の層が厚い場合に、奥まで食い込ませることができる。また、防草部材４０１の取付け位置が低く、防草部材４０１からアスファルト２００までが離れている場合に、突起４１１をアスファルト２００まで届かせることができる。
【００４４】
また、図８（ｂ）に示すように、防草部材４０２は、当接部４２２と、当接部４２２の下端から直角方向に連設された垂立部４３２と、さらに垂立部４３２の当接部４２１とは反対側の端から上方に長く伸びるように連設された突起４１２と、を有する形状にしても良い。防草部材４０２の取付け位置が高めで、アスファルト２００の層が厚い場合などに、適した形状である。
【００４５】
このように、防草部材４００、４０１、４０２を、新設又は既存のコンクリートブロックの設置状況などに合わせて形状を変更することにより、コンクリートブロックに対する取り付けが容易となり、作業面及び費用面で大きく節約することができる。防草部材４００、４０１、４０２を後付けすることで、道路のアスファルトとコンクリートブロックとの間のズレを防ぐことで隙間が無くなるので、そこから伸びてくる雑草の成長を抑制することができる。
【００４６】
以上、本発明の実施例を述べたが、これらに限定されるものではない。
【符号の説明】
【００４７】
１００：道路
２００：アスファルト
３００：側溝ブロック
３０１：境界ブロック
３０２：縁石ブロック
３１０：蓋板
３１１：孔
３２０：グレーチング
３３０：隣接面
３３１：隣接面
３３２：隣接面
３４０：加工面
３４１：加工面
３４２：加工面
３５０：ネジ穴
４００：防草部材
４０１：防草部材
４０２：防草部材
４１０：突起
４１１：突起
４１２：突起
４２０：当接部
４２１：当接部
４２２：当接部
４３０：垂立部
４３１：垂立部
４３２：垂立部
４４０：貫通孔
５００：地面
５１０：地中
５２０：雑草
５３０：隙間
６００：留具
【要約】
【課題】本発明は、新設又は既存の側溝ブロックや境界ブロックに後付けすることで、雑草の成長を抑制するブロック用防草部材を提供する。
【解決手段】本発明であるブロック用防草部材は、ブロックの側面に沿って当てられ、該ブロックに固定される当接部と、前記当接部から連接され、直角方向に延びる垂立部と、前記垂立部の端から上方に突出する突起部と、を有し、前記ブロックと隣接する道路に対し、前記突起部が下側からくい込むことにより、前記ブロックと前記道路との隙間を塞ぐ、ことを特徴とする。
【選択図】図４【図１】
0005807135.tif 000002
【図２】
0005807135.tif 000003
【図３】
0005807135.tif 000004
【図４】
0005807135.tif 000005
【図５】
0005807135.tif 000006
【図６】
0005807135.tif 000007
【図７】
0005807135.tif 000008
【図８】
0005807135.tif 000009